(57)【要約】【課題】電子機器を着脱自在に装着可能とされた照明システムに関して、消費電力の削減や安全性の向上を図ることにより製品としての信頼性の向上を図る。【解決手段】機器側マイコン４２と機器側マイコン４２により制御される機器機能部４３とを備えた電子機器４と、電源回路２０と電源回路２０により生成された電源電圧に基づき発光駆動される発光部２２と電子機器４を着脱自在に装着する装着部２Ｂとを備えた照明装置２とを備えて構成された照明システム１において、装着部２Ｂに装着された電子機器４の機器側マイコン４２に対して前記電源電圧に基づく動作電圧が供給されるように制御して機器側マイコン４２との間で認証処理を行った結果に基づき、機器機能部４３に対して前記電源電圧に基づく動作電圧の供給が行われるように制御する。【選択図】図３
2014209411.tif 000002
【特許請求の範囲】
【請求項１】
電源回路と、
前記電源回路により生成された電源電圧に基づき発光駆動される発光部と、
機器側制御部と前記機器側制御部により制御される機器機能部とを備えた電子機器を着脱自在に装着する装着部と、
前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する照明側制御部とを備える
照明装置。
【請求項２】
前記装着部は、
前記機器機能部による機能がそれぞれ異なる複数種の前記電子機器に共通構造により設けられた被装着部を装着可能に構成されている
請求項１に記載の照明装置。
【請求項３】
前記照明側制御部は、
前記認証処理が失敗した場合は、前記機器側制御部への電力供給が停止されるように制御を行う
請求項１に記載の照明装置。
【請求項４】
前記電源回路によって生成された電源電圧を指示された電圧レベルに変圧して出力する電圧レベル調整部を備え、
前記照明側制御部は、
前記電圧レベル調整部により、前記装着部に装着された前記電子機器に応じたレベルの電圧を生成させる
請求項１に記載の照明装置。
【請求項５】
前記照明側制御部は、
装着された前記電子機器の動作状態に応じて前記発光部による発光動作を制御する
請求項１に記載の照明装置。
【請求項６】
情報処理装置との間でデータ通信を行うための通信部を備える
請求項１に記載の照明装置。
【請求項７】
前記電子機器が備える前記機器機能部は、
コンテンツデータの再生・出力機能、又はコンテンツデータの取得機能を有しており、
前記照明側制御部は、
前記通信部が前記情報処理装置から受信したコンテンツデータを前記電子機器に転送する処理、又は前記電子機器から受信したコンテンツデータを前記通信部を介して前記情報処理装置に転送する処理の何れかを実行する
請求項６に記載の照明装置。
【請求項８】
前記通信部は、
ＷｉＦｉによる通信とＷｉＦｉ以外の無線通信規格による通信とが可能に構成され、
前記照明側制御部は、
前記コンテンツデータが音響データである場合には前記通信部に前記ＷｉＦｉ以外の無線通信規格による通信を実行させる
請求項７に記載の照明装置。
【請求項９】
電子機器と照明装置とを備えて構成された照明システムであって、
前記電子機器は、
機器側制御部と、
前記機器側制御部により制御される機器機能部とを備え、
前記照明装置は、
電源回路と、
前記電源回路により生成された電源電圧に基づき発光駆動される発光部と、
前記電子機器を着脱自在に装着する装着部と、
前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する照明側制御部とを備える
照明システム。
【請求項１０】
前記装着部は、
前記機器機能部による機能がそれぞれ異なる複数種の前記電子機器のそれぞれに共通構造により設けられた被装着部を装着可能に構成されている
請求項９に記載の照明システム。
【請求項１１】
前記照明側制御部は、
前記認証処理が失敗した場合は、前記機器側制御部への電力供給が停止されるように制御を行う
請求項９に記載の照明システム。
【請求項１２】
前記電子機器は、
前記照明装置側から前記認証処理の結果に基づき供給された前記動作電圧を所定の電圧レベルに変圧して前記機器機能部に出力する変圧回路を備える
請求項９に記載の照明システム。
【請求項１３】
前記照明側制御部は、
装着された前記電子機器の動作状態に応じて前記発光部による発光動作を制御する
請求項９に記載の照明システム。
【請求項１４】
情報処理装置をさらに備えると共に、
前記情報処理装置と前記照明側制御部との間、又は前記情報処理装置と前記機器側制御部との間でデータ通信を行うための通信部を備える
請求項９に記載の照明システム。
【請求項１５】
前記電子機器が備える前記機器機能部は、
コンテンツデータの再生・出力機能、又はコンテンツデータの取得機能を有しており、  前記通信部は、
前記照明装置に設けられた照明側通信部であり、
前記照明側制御部は、
前記照明側通信部が前記情報処理装置から受信したコンテンツデータを前記電子機器に転送する処理、又は前記電子機器から受信したコンテンツデータを前記照明側通信部を介して前記情報処理装置に転送する処理の何れかを実行する
請求項１４に記載の照明システム。
【請求項１６】
前記電子機器が備える前記機器機能部は、
コンテンツデータの再生・出力機能、又はコンテンツデータの取得機能を有しており、  前記通信部は、
前記電子機器に設けられた機器側通信部であり、
前記機器側制御部は、
前記機器側通信部が前記情報処理装置から受信したコンテンツデータを前記機器機能部により再生・出力させる処理、又は前記機器機能部により取得させたコンテンツデータを前記機器側通信部によって前記情報処理装置に送信させる処理を実行する
請求項１４に記載の照明システム。
【請求項１７】
前記通信部は、
ＷｉＦｉによる通信とＷｉＦｉ以外の無線通信規格による通信とが可能に構成され、
前記照明側制御部又は前記機器側制御部は、
前記コンテンツデータが音響データである場合には前記通信部に前記ＷｉＦｉ以外の無線通信規格による通信を実行させる
請求項１５又は請求項１６に記載の照明システム。
【請求項１８】
機器側制御部と前記機器側制御部により制御される機器機能部とを備えた電子機器と、電源回路と前記電源回路により生成された電源電圧に基づき発光駆動される発光部と前記電子機器を着脱自在に装着する装着部とを備えた照明装置とを備えて構成された照明システムにおける制御方法であって、
前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する
制御方法。
【発明の詳細な説明】
【技術分野】
【０００１】
本技術は、電子機器を着脱自在に装着可能な照明装置と、照明装置と電子機器とを備えて構成された照明システムと、照明システムにおける制御方法についての技術分野に関する。
【先行技術文献】
【特許文献】
【０００２】
【特許文献１】特開２００８−１０４０２２号公報
【特許文献２】特開２０１０−４０２６７号公報
【特許文献３】特開２００４−１８４７６８号公報
【背景技術】
【０００３】
上記特許文献１や特許文献２などにあるように、照明装置と電子機器とが組み合わされた照明システムが知られている。
例えば特許文献１には、天井に対して取り付けられる照明装置にマルチサラウンドシステムを構成するための複数のスピーカを一体的に形成した照明システムが開示されている。
特許文献２には、照明装置とマイナスイオン発生器とを組み合わせた照明システムが開示さている。
また特許文献３には、照明装置とプロジェクタ装置とを組み合わせた照明システムが開示されている。
【発明の概要】
【発明が解決しようとする課題】
【０００４】
照明装置と電子機器とを組み合わせた照明システムとしては、照明装置に対して電子機器を着脱自在に装着可能とし、使用者が種類の異なる電子機器を自由に換装できるようなシステムが考えられる。或いは、種類が同じ電子機器であっても、機能や性能が向上された新製品としての電子機器への換装を可能とすることも考えられる。一般に、照明装置の製品ライフサイクル（モデルチェンジや大幅な機能・性能の向上が図られるサイクル）は長いため、このように電子機器を換装可能とするシステムは有効である。
しかしながら、電子機器を換装可能とするシステムは、着脱を前提としないシステムとの比較で製品の安全性や電子機器側への電力供給の面で考慮すべき点がある。
【０００５】
本技術では、電子機器を着脱自在に装着可能とされた照明システムに関して、消費電力の削減や安全性の向上を図ることにより製品としての信頼性の向上を図ることを目的とする。
【課題を解決するための手段】
【０００６】
本技術に係る照明装置は、第１に、電源回路と、前記電源回路により生成された電源電圧に基づき発光駆動される発光部と、機器側制御部と前記機器側制御部により制御される機器機能部とを備えた電子機器を着脱自在に装着する装着部と、前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する照明側制御部とを備えるものである。
【０００７】
上記構成によれば、照明装置から電子機器の機器機能部への動作電圧の供給は、装着部に電子機器が装着されたのみでは行われず、認証処理の結果に基づき行われる。
【０００８】
第２に、上記した本技術に係る照明装置においては、前記装着部は、前記機器機能部による機能がそれぞれ異なる複数種の前記電子機器に共通構造により設けられた被装着部を装着可能に構成されていることが望ましい。
これにより、複数の種類の電子機器を換装可能となる。
【０００９】
第３に、上記した本技術に係る照明装置においては、前記照明側制御部は、前記認証処理が失敗した場合は、前記機器側制御部への電力供給が停止されるように制御を行うことが望ましい。
これにより、認証が失敗した電子機器に対する電力供給が完全に遮断される。
【００１０】
第４に、上記した本技術に係る照明装置においては、前記電源回路によって生成された電源電圧を指示された電圧レベルに変圧して出力する電圧レベル調整部を備え、前記照明側制御部は、前記電圧レベル調整部により、前記装着部に装着された前記電子機器に応じたレベルの電圧を生成させることが望ましい。
これにより、電子機器ごとに機器機能部の要求電圧レベルが異なる場合に対応可能となる。
【００１１】
第５に、上記した本技術に係る照明装置においては、前記照明側制御部は、装着された前記電子機器の動作状態に応じて前記発光部による発光動作を制御することが望ましい。
これにより、発光部の発光動作が電子機器の動作状態に連動して制御される。
【００１２】
第６に、上記した本技術に係る照明装置においては、情報処理装置との間でデータ通信を行うための通信部を備えることが望ましい。
これにより、情報処理装置と連動した動作を実現可能となる。
【００１３】
第７に、上記した本技術に係る照明装置においては、前記電子機器が備える前記機器機能部は、コンテンツデータの再生・出力機能、又はコンテンツデータの取得機能を有しており、前記照明側制御部は、前記通信部が前記情報処理装置から受信したコンテンツデータを前記電子機器に転送する処理、又は前記電子機器から受信したコンテンツデータを前記通信部を介して前記情報処理装置に転送する処理の何れかを実行することが望ましい。
これにより、情報処理装置に保持されたコンテンツデータを電子機器により再生・出力させたり、電子機器が取得したコンテンツデータを情報処理装置により再生・出力させることが可能となる。
【００１４】
第８に、上記した本技術に係る照明装置においては、前記通信部は、ＷｉＦｉによる通信とＷｉＦｉ以外の無線通信規格による通信とが可能に構成され、前記照明側制御部は、前記コンテンツデータが音響データである場合には前記通信部に前記ＷｉＦｉ以外の無線通信規格による通信を実行させることが望ましい。
これにより、音響コンテンツが再生・出力される場合に、情報処理装置がＷｉＦｉ経由でインターネットに接続可能となる。
【００１５】
本技術に係る照明システムは、第１に、電子機器と照明装置とを備えて構成された照明システムであって、前記電子機器は、機器側制御部と、前記機器側制御部により制御される機器機能部とを備え、前記照明装置は、電源回路と、前記電源回路により生成された電源電圧に基づき発光駆動される発光部と、前記電子機器を着脱自在に装着する装着部と、前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する照明側制御部とを備えるものである。
【００１６】
上記本技術に係る照明システムによっても、上記した本技術に係る照明装置と同様に、照明装置から電子機器の機器機能部への動作電圧の供給は、装着部に電子機器が装着されたのみでは行われず、認証処理の結果に基づき行われる。
【００１７】
第２に、上記した本技術に係る照明システムにおいては、前記装着部は、前記機器機能部による機能がそれぞれ異なる複数種の前記電子機器に共通構造により設けられた被装着部を装着可能に構成されていることが望ましい。
これにより、複数の種類の電子機器を換装可能となる。
【００１８】
第３に、上記した本技術に係る照明システムにおいては、前記照明側制御部は、前記認証処理が失敗した場合は、前記機器側制御部への電力供給が停止されるように制御を行うことが望ましい。
これにより、認証が失敗した電子機器に対する電力供給が完全に遮断される。
【００１９】
第４に、上記した本技術に係る照明システムにおいては、前記電子機器は、前記照明装置側から前記認証処理の結果に基づき供給された前記動作電圧を所定の電圧レベルに変圧して前記機器機能部に出力する変圧回路を備えることが望ましい。
これにより、電子機器ごとに要求電圧レベルが異なる場合に対応可能となる。
【００２０】
第５に、上記した本技術に係る照明システムにおいては、前記照明側制御部は、装着された前記電子機器の動作状態に応じて前記発光部による発光動作を制御することが望ましい。
これにより、発光部の発光動作が電子機器の動作状態に連動して制御される。
【００２１】
第６に、上記した本技術に係る照明システムにおいては、情報処理装置をさらに備えると共に、前記情報処理装置と前記照明側制御部との間、又は前記情報処理装置と前記機器側制御部との間でデータ通信を行うための通信部を備えることが望ましい。
これにより、情報処理装置と連動した動作を実現可能となる。
【００２２】
第７に、上記した本技術に係る照明システムにおいては、前記電子機器が備える前記機器機能部は、コンテンツデータの再生・出力機能、又はコンテンツデータの取得機能を有しており、前記通信部は、前記照明装置に設けられた照明側通信部であり、前記照明側制御部は、前記照明側通信部が前記情報処理装置から受信したコンテンツデータを前記電子機器に転送する処理、又は前記電子機器から受信したコンテンツデータを前記照明側通信部を介して前記情報処理装置に転送する処理の何れかを実行することが望ましい。
これにより、情報処理装置に保持されたコンテンツデータを電子機器により再生・出力させたり、電子機器が取得したコンテンツデータを情報処理装置により再生・出力させることが可能となる。
【００２３】
第８に、上記した本技術に係る照明システムにおいては、前記電子機器が備える前記機器機能部は、コンテンツデータの再生・出力機能、又はコンテンツデータの取得機能を有しており、前記通信部は、前記電子機器に設けられた機器側通信部であり、前記機器側制御部は、前記機器側通信部が前記情報処理装置から受信したコンテンツデータを前記機器機能部により再生・出力させる処理、又は前記機器機能部により取得させたコンテンツデータを前記機器側通信部によって前記情報処理装置に送信させる処理を実行することが望ましい。
このような構成によっても、情報処理装置に保持されたコンテンツデータを電子機器により再生・出力させたり、電子機器が取得したコンテンツデータを情報処理装置により再生・出力させることが可能となる。
【００２４】
第９に、上記した本技術に係る照明システムにおいては、前記通信部は、ＷｉＦｉによる通信とＷｉＦｉ以外の無線通信規格による通信とが可能に構成され、前記照明側制御部又は前記機器側制御部は、前記コンテンツデータが音響データである場合には前記通信部に前記ＷｉＦｉ以外の無線通信規格による通信を実行させることが望ましい。
これにより、音響コンテンツが再生・出力される場合に、情報処理装置がＷｉＦｉ経由でインターネットに接続可能となる。
【発明の効果】
【００２５】
本技術によれば、照明装置側の電力出力端子に対して無駄に電力供給が為されることを防止できるため、消費電力の削減が図られる。
また、電子機器が非装着の状態では電力出力端子に電力供給されないようにできるため、使用者が誤って電力出力端子に触れるなどして感電が生じることを防止できる。
さらに、認証できない電子機器、すなわち非正規品としての電子機器には機器機能部への電力供給が行われないようにできるため、安全保証上好ましいものとできる。
これらより、本技術によれば、電子機器を着脱自在に装着可能とされた照明システムに関して、製品としての信頼性の向上を図ることができる。
【図面の簡単な説明】
【００２６】
【図１】第１の実施の形態の照明システムの構成概要を説明するための図である。
【図２】第１の実施の形態の照明システムを構成する照明装置、電子機器の内部構成の説明図である。
【図３】第１の実施の形態の照明システムにおいて実行される処理を説明するためのフローチャートである。
【図４】第２の実施の形態の照明システムの構成を説明するための説明図である。
【図５】電子機器が有する機器機能部の構成例についての説明図である。
【図６】第２の実施の形態の照明システムを構成する情報処理装置の内部構成の説明図である。
【図７】照明装置との間で無線データ通信の接続を確立するために情報処理装置にて実行される処理を示したフローチャートである。
【図８】電子機器として音響再生装置が使用される場合に対応して情報処理装置、照明装置、電子機器で実行される処理を示したフローチャートである。
【図９】電子機器としてプロジェクタ装置が使用される場合に対応して情報処理装置、照明装置、電子機器で実行される処理を示したフローチャートである。
【図１０】電子機器としてカメラ装置が使用される場合に対応して情報処理装置、照明装置、電子機器で実行される処理を示したフローチャートである。
【図１１】変形例１としての照明システムの構成についての説明図である。
【図１２】変形例１としての照明システムにおいて実行される処理を説明するためのフローチャートである。
【図１３】変形例２としての照明システムの構成についての説明図である。
【図１４】変形例２としての照明システムにおいて実行される処理を説明するためのフローチャートである。
【図１５】変形例３としての照明システムの構成についての説明図である。
【図１６】変形例３としての照明システムにおいて電子機器として音響再生装置が使用される場合に対応して実行される処理を示したフローチャートである。
【図１７】変形例３としての照明システムにおいて電子機器としてプロジェクタ装置が使用される場合に対応して実行される処理を示したフローチャートである。
【図１８】変形例３としての照明システムにおいて電子機器としてカメラ装置が使用される場合に対応して実行される処理を示したフローチャートである。
【発明を実施するための形態】
【００２７】
以下、本技術に係る実施の形態について説明する。
なお、説明は以下の順序で行う。
＜１．第１の実施の形態＞
［1-1．照明システムの概要］
［1-2．照明装置及び電子機器の構成］
［1-3．第１の実施の形態の制御手法］
［1-4．第１の実施の形態のまとめ］
＜２．第２の実施の形態＞
［2-1．システムの構成］
［2-2．第２の実施の形態の制御手法］
［2-3．第２の実施の形態のまとめ］
＜３．変形例＞
［3-1．変形例１］
［3-2．変形例２］
［3-3．変形例３］
［3-4．その他の変形例］
＜４．本技術＞
【００２８】
＜１．第１の実施の形態＞
［1-1．照明システムの概要］
図１は、本技術に係る第１の実施の形態としての照明システム１の構成概要を説明するための図である。
本実施の形態の照明システム１は、照明装置２と、照明装置２を操作するためのリモコン（リモートコントローラ）３と、照明装置２に着脱自在に装着される電子機器４とを備えて構成される。
【００２９】
照明装置２は室内用の照明装置とされ、室内における天井面１００に対して設けられたシーリングローゼット１００Ａに対して取り付けられる。
照明装置２は、室内を照らすための光を出射する発光面２Ａと、電子機器４を着脱可能に装着するための装着部２Ｂとを有する。本例の場合、発光面２Ａにおいて光が出射される領域は例えば環状（ドーナツ状）などの所定の形状で形成されており、装着部２Ｂは、発光面２Ａにおける上記環状の出射領域の内側（つまり発光面２Ａの中央部）に対して設けられており、電子機器４を発光面２Ａよりも下側（室内の床面１０２側）に保持するように構成されている。
なお、装着部２Ｂを設ける位置は、装着された電子機器４によって室内への配光パターンに悪影響が及ぼされないように定めればよく、上記のような位置に限定されるべきものではない。
【００３０】
本システムでは、それぞれ機能の異なる複数種の電子機器４の使用を想定している。電子機器４の例としては、例えばスピーカを備えた音響再生装置、プロジェクタ装置、カメラ装置、イオン発生器、火災報知器、ホームプラネタリウム装置などを挙げることができる。
これら各種機能の異なる電子機器４には、本例の照明システム１に対応可能とするべく、共通構造による被装着部が形成されている。照明装置２における装着部２Ｂは、この被装着部を着脱可能に装着できるように構成されている。
着脱可能に装着するための具体的な機構としては、例えば爪部を用いた係合機構や螺合機構、磁力を用いた着脱機構などを挙げることができる。何れにせよ、電子機器４を着脱可能に装着するための構成については特定の構成に限定されず、多様な構成を採り得るものである。
【００３１】
照明装置２は、シーリングローゼット１００Ａに対して取り付けられることで、商用交流電源の入力が可能となる。照明装置２への商用交流電源の入力のＯＮ／ＯＦＦは、室内の壁面１０１に設けられた壁スイッチ１０１Ａにより行われる。
【００３２】
［1-2．照明装置及び電子機器の構成］
図２は、照明システム１を構成する照明装置２、電子機器４の内部構成の説明図である。なお、この図ではリモコン３も併せて示している。
照明装置２には、電源回路２０、発光駆動部２１、発光部２２、変圧回路２３、照明側マイコン（マイクロコンピュータ）２４、リモコン受光部２５、装着検知部２６、スイッチＳＷ１、スイッチＳＷ２、電源入力端子Ｔｉｎ、電力出力端子Ｔｍ-out、電力出力端子Ｔｓ-out、及びデータ通信端子Ｔｔｓが設けられている。
【００３３】
電源回路２０には、電源入力端子Ｔｉｎを介して商用交流電源が入力される。
電源回路２０は、ＡＣ−ＤＣコンバータを備え、入力された商用交流電源に基づき所定レベルの直流電圧を生成する。
電源回路２０により生成された直流電圧は発光駆動部２１、変圧回路２３、及びスイッチＳＷ２に供給される。
【００３４】
スイッチＳＷ２は、照明側マイコン２４からの指示に応じて、電源回路２０から電力出力端子Ｔｍ-outへの電力供給をＯＮ／ＯＦＦする。なお、スイッチＳＷ２は初期状態ではＯＦＦである。
【００３５】
発光駆動部２１は、電源回路２０より供給された直流電圧を動作電圧として入力し、照明側マイコン２４からの指示に基づき、発光部２２を構成する発光素子を発光駆動するための駆動信号を生成する。
本例の場合、発光部２２を構成する発光素子はＬＥＤ（発光ダイオード）とされる。これに対応し、発光駆動部２１には上記直流電圧に基づき所定レベルによる定電流を生成するための定電流回路が設けられ、該定電流回路による出力電流に基づき上記駆動信号が生成される。
本例の場合、発光部２２には複数のＬＥＤが設けられており、発光駆動部２１は、駆動信号を与えるＬＥＤの選択することで、発光部２２の発光量を調整する（調光制御）。
この発光部２２が発光することに応じて、図１で説明した発光面２Ａから光が出射される。
【００３６】
なお、発光部２２は、メンテナンス性等を考慮し、照明装置２に対して着脱可能に構成することもできる。
【００３７】
変圧回路２３は、電源回路２０から供給された直流電圧を所定のレベルに変圧する。変圧された直流電圧は照明側マイコン２４に供給されると共に、スイッチＳＷ１に供給される。
【００３８】
スイッチＳＷ１は、照明側マイコン２４からの指示に応じて、変圧回路２３から電力出力端子Ｔｓ-outへの電力供給をＯＮ／ＯＦＦする。なお、スイッチＳＷ１も先のスイッチＳＷ２と同様、初期状態ではＯＦＦである。
【００３９】
照明側マイコン２４は、例えばＣＰＵ（Central Processing Unit）、ＲＯＭ（Read Only Memory）、及びワーク領域としてのＲＡＭ（Random Access Memory）を備えて構成され、照明装置２の全体制御を行う。
照明側マイコン２４に対してはリモコン受光部２５が接続されている。リモコン受光部２５は赤外線受光部とされ、リモコン３より発せられた赤外線信号を受光して操作入力信号を得る。照明側マイコン２４は、リモコン受光部２５で得られた操作入力信号に基づき、発光駆動部２１に対し前述した調光制御を実行するように指示を行う。また、消灯を指示する操作入力信号に応じては、発光部２２の全発光素子を消灯させるように発光駆動部２１に指示を行う。
【００４０】
また、照明側マイコン２４に対しては、装着検知部２６が接続されている。
装着検知部２６は、照明装置２に対する電子機器４の装着を検出する。本例における装着検知部２６は、照明装置２に対する電子機器４の着／脱に応じて動作する機構部と、該機構部の動作に応じてＯＮ／ＯＦＦされるスイッチとで構成される。具体的には、例えば電子機器４の着脱に応じて押し引きされる機構部と、該機構部の押し引きに連動してＯＮ／ＯＦＦされるスイッチとで構成される。
照明側マイコン２４に対しては、このような装着検知部２６によって電子機器４の着／脱状態を表すように生成される検出信号が与えられる。
【００４１】
また、照明側マイコン２４には、後述する機器側マイコン４２との間でデータ通信を行うためのデータ通信端子Ｔｔｓが接続されている。
【００４２】
続いて、電子機器４について説明する。
電子機器４には、変圧回路４１、機器側マイコン４２、機器機能部４３、電力入力端子Ｔｍ-in、電力入力端子Ｔｓ-in，及びデータ通信端子Ｔｔｋが設けられている。
変圧回路４１は、電力入力端子Ｔｍ-inより入力される直流電圧を所定レベルに変圧して機器機能部４３に出力する。具体的に、変圧回路４１は、電力入力端子Ｔｍ-inより入力される直流電圧を機器機能部４３の要求電圧レベルに変圧して出力する。
【００４３】
機器機能部４３は、機器側マイコン４２による制御対象とされる各部の構成を包括的に表したものである。この機器機能部４３には、電子機器４としての機能を実現するための主たる構成が含まれる。例えば、電子機器４が音響再生装置である場合には、機器機能部４３にはスピーカやアンプ等の音響再生機能を実現するための構成が設けられる。或いは、電子機器４がカメラ装置である場合には、撮像光学系や画像処理部等の撮像画像データを得る機能を実現するための構成が設けられる。
【００４４】
機器側マイコン４２は、ＣＰＵ、ＲＯＭ、ＲＡＭを備えて構成され、機器機能部４３を制御する。機器側マイコン４２は、電力入力端子Ｔｓ-inより入力される直流電圧によって動作する。
機器側マイコン４２には、照明側マイコン２４との間でデータ通信を行うためのデータ通信端子Ｔｔｋが接続されている。
また、機器側マイコン４２が有する上記ＲＯＭには、後述する認証処理で用いられる認証情報が格納されている。本例の場合、認証情報としては少なくとも認証キーの情報が格納される。
【００４５】
ここで、照明装置２側に設けられた電力出力端子Ｔｍ-out，電力出力端子Ｔs-out，データ通信端子Ｔｔｓ、及び電子機器４側に設けられた電力入力端子Ｔｍ-in，電力出力端子Ｔｓ-in，データ通信端子Ｔｔｋについて、「電力出力端子Ｔｍ-outと電力入力端子Ｔｍ-in」「電力出力端子Ｔｓ-outと電力入力端子Ｔｓ-in」「データ通信端子Ｔｔｓとデータ通信端子Ｔｔｋ」のそれぞれは、照明装置２に対して電子機器４が装着されることに応じて接続される。すなわち、照明装置２に電子機器４が装着されることに応じて、照明装置２側から電子機器４側への電力供給（動作電圧の供給）、及び照明側マイコン２４と機器側マイコン４２との間でのデータ通信を行うことが可能な状態になる。
【００４６】
［1-3．第１の実施の形態の制御手法］
図３を参照して、第１の実施の形態の制御手法について説明する。
図３は、照明システム１において実行される処理を説明するためのフローチャートである。図３において「照明装置」として示す処理は、照明側マイコン２４がＲＯＭに格納されたプログラムに基づき実行する処理であり、「電子機器」として示す処理は機器側マイコン４２がＲＯＭに格納されたプログラムに基づき実行する処理である。
なお、この図３に示す処理が開始されるにあたっては、前述した壁スイッチ１０１ＡがＯＮの状態にあり、照明装置２に対して商用交流電源が入力された状態にあるとする。
【００４７】
先ず、照明装置側においては、ステップＳ１０１で電子機器４が装着されるまで待機する。すなわち、装着検知部２６による検出信号に基づき、電子機器４の装着が検知されるまで待機する。
電子機器４が装着された場合には、ステップＳ１０２でスイッチＳＷ１をＯＮとする。このようにスイッチＳＷ１がＯＮとされることで、電力出力端子Ｔｓ-outから電力入力端子Ｔｓ-inを介しての機器側マイコン４２への動作電圧の供給が開始される。すなわち、機器側マイコン４２が起動する。
【００４８】
このように動作電圧の供給に応じて起動された機器側マイコン４２は、先ずステップＳ２０１でスタートアップ処理を実行する。そして、スタートアップ処理が完了したことに応じて、ステップＳ２０２で照明装置２側に認証要求を行う。
【００４９】
照明装置２側では、図中のステップＳ１０３で、上記ステップＳ２０２による電子機器４からの認証要求が為されるまで待機しており、当該認証要求が為されたことに応じ、ステップＳ１０４で電子機器４側に認証情報の送信要求を行う。
【００５０】
電子機器４側では、図中のステップＳ２０３で上記ステップＳ１０４による照明装置２側からの送信要求が為されるまで待機しており、当該送信要求が為されたことに応じ、ステップＳ２０４で認証情報を照明装置２側に送信し、処理を終了する。
【００５１】
照明装置２側では、図中のステップＳ１０５で電子機器４側からの上記認証情報が受信されるまで待機している。
上記認証情報が受信された場合は、ステップＳ１０６で認証処理を実行し、ステップＳ１０７で認証が成功したか否かを判別する。
認証が成功しなかった（認証失敗）との否定結果が得られた場合は、ステップＳ１０８に進みスイッチＳＷ１をＯＦＦとして処理を終了する。このようにスイッチＳＷ１がＯＦＦとされることで、認証に失敗した電子機器４に対する電力供給が完全に絶たれる。
【００５２】
一方、認証が成功したとの肯定結果が得られた場合は、ステップＳ１０９に進みスイッチＳＷ２をＯＮとして処理を終了する。このようにスイッチＳＷ２がＯＮとされることで、認証が成功した電子機器４には、機器機能部４３への電力供給が為される。
【００５３】
［1-4．第１の実施の形態のまとめ］
上記のように第１の実施の形態では、照明側マイコン２４が、装着部２Ｂに装着された電子機器４の機器側マイコン４２に対して動作電圧が供給されるように制御して機器側マイコン４２との間で認証処理を行い、該認証処理の結果に基づき、電子機器４の機器機能部４３に対する動作電圧の供給が行われるように制御を行っている。
これによれば、照明装置２から電子機器４の機器機能部４３への動作電圧の供給は、装着部２Ｂに電子機器４が装着されたのみでは行われず、認証処理の結果に基づき行われる。
従って、照明装置２の電力出力端子Ｔｍ-outに対して無駄に電力供給が為されることを防止できるため、消費電力の削減が図られる。
また、電子機器４が非装着の状態では電力出力端子Ｔｍ-outに電力供給されないようにできるため、使用者が誤って電力出力端子Ｔｍ-outに触れるなどして感電が生じることを防止できる。
さらに、認証できない電子機器４、すなわち非正規品としての電子機器４には機器機能部４３への電力供給が行われないようにできるため、安全保証上好ましいものとできる。
これらより、本実施の形態によれば、電子機器を着脱自在に装着可能とされた照明システムに関して、製品としての信頼性の向上を図ることができる。
【００５４】
また、本実施の形態では、機器機能部４３による機能がそれぞれ異なる複数種の電子機器４に共通構造による被装着部が設けられた上で、装着部２Ｂは、この被装着部を装着可能に構成されている。
これにより、複数の種類の電子機器４を自由に換装できる照明システムを実現できる。
【００５５】
さらに、本実施の形態では、照明側マイコン２４が、電子機器４側との認証処理が失敗した場合には機器側制御部４３への電力供給が停止されるように制御を行っている。
これにより、認証が失敗した電子機器に対する電力供給が完全に遮断され、さらなる消費電力の削減が図られる。
【００５６】
さらにまた、本実施の形態では、電子機器４が、認証処理の結果に基づき供給された動作電圧を所定の電圧レベルに変圧して機器機能部４３に出力する変圧回路４１を備えている。
ここで、本実施の形態のように複数種の電子機器４を自由に換装できるシステムとした場合には、電子機器４ごとに要求電圧レベルが異なる場合があることを考慮すべきである。上記のような変圧回路４１を設けることで、電子機器４ごとに要求電圧レベルが異なる場合に対応することができる。
また、電子機器４側で要求電圧レベルに応じた変圧が行われるので、照明装置２側が装着される電子機器４ごとに変圧を行うための構成を備える必要がなくなる。このため、照明装置２の部品点数の削減が図られ、装置の小型化やコスト削減が図られる。
【００５７】
＜２．第２の実施の形態＞
［2-1．システムの構成］
図４は、第２の実施の形態の照明システム５の構成を説明するための図である。
なお、以下の説明において、既に説明済みとなった部分については同一符号を付して説明を省略し、主にこれまでの説明と異なる部分のみを説明していく。
第２の実施の形態の照明システム５は、照明装置２’、リモコン３、電子機器４、及び情報処理装置５０を備えて構成される。
【００５８】
照明装置２’は、第１の実施の形態の照明装置２との比較でＷｉＦｉ（Wireless Fidelity）通信部２７と無線通信部２８が追加された点が異なる。
これらＷｉＦｉ通信部２７、無線通信部２８は、照明側マイコン２４と接続されて、照明側マイコン２４と外部機器が有する制御部（本実施の形態の場合は情報処理装置５０が有するＣＰＵ５１）との間で無線データ通信を行うために設けられる。
ＷｉＦｉ通信部２７は、ＩＥＥＥ８０２．１１規格に従った無線データ通信を行う。
無線通信部２８は、ＷｉＦｉ以外の無線通信規格に従った無線データ通信を行うもので、本例ではブルートゥース（Bluetooth：登録商標）規格による無線データ通信を行う。
【００５９】
本実施の形態の照明側マイコン２４、機器側マイコン４２は、それぞれ先の図３に示した処理を含めた第１の実施の形態で説明したものと同様の処理を実行する。さらに、これら照明側マイコン２４、機器側マイコン４２は、図８〜図１０に示す処理も実行するが、これについては後に改めて説明する。
【００６０】
ここで、本実施の形態の照明システム５は、電子機器４として音響再生装置、プロジェクタ装置、及びカメラ装置の３種の機器に対応可能とされている。
図５により、音響再生装置、プロジェクタ装置、カメラ装置としての電子機器４の内部構成を説明する。なお、図５では機器側マイコン４２と機器機能部４３のみを抽出して示している。
図５Ａに示す音響再生装置の場合は、機器機能部４３の内部にはＤ／Ａコンバータ４３Ａ、アンプ４３Ｂ、スピーカ４３Ｃが設けられる。この場合の機器側マイコン４２は、データ通信端子Ｔｔｋを介して入力された圧縮オーディオデータをデコードすると共に、デコードして得られたオーディオデータをＤ／Ａコンバータ４３Ａに出力する。Ｄ／Ａコンバータ４３Ａで得られたオーディオデータに基づくアナログオーディオ信号はアンプ４３Ｂにより増幅された後、スピーカ駆動信号としてスピーカ４３Ｃに与えられる。
【００６１】
図５Ｂに示すプロジェクタ装置の場合は、機器機能部４３の内部には表示制御部４３Ｄと光学系４３Ｅとが設けられる。図のように光学系４３Ｅ内には、光源部４３Ｆや表示パネル４３Ｇが設けられる。表示パネル４３Ｇは、例えば液晶表示パネルとされる。
この場合の機器側マイコン４２は、データ通信端子Ｔｔｋを介して入力された圧縮画像データをデコードすると共に、デコードして得られた画像データを表示制御部４３Ｄに出力する。表示制御部４３Ｄは、入力された画像データに基づき表示パネル４３Ｇの表示動作を制御する。光学系４３Ｅにおいては、光源部４３Ｆから出射された光が表示パネル４３Ｇを介することで、上記画像データに応じた光強度変調を受ける。このように強度変調を受けた光が不図示の投射レンズを介して所定の対象物（例えば壁面１０１の近傍に設置されたスクリーン）に投射され、画像表示が為される。
なお、表示制御部４３Ｄは、機器側マイコン４２からの指示に基づき光源部４３Ｆの点灯／消灯制御や調光制御等も実行する。
【００６２】
図５Ｃに示すカメラ装置の場合、機器機能部４３の内部には撮像部４３Ｈと画像処理部４３Ｉとが設けられる。撮像部４３Ｈは、例えばＣＣＤ（Charge Coupled Device）イメージセンサやＣＭＯＳ（Complementary Metal Oxide Semiconductor）イメージセンサなどで構成された撮像素子や、撮像素子の撮像面に被写体からの光を結像させるためのカメラ光学系、撮像素子の読出回路、読出回路で得られた撮像画像信号をＡ／Ｄ変換して撮像画像データを得るＡ／Ｄコンバータを備える。
画像処理部４３Ｉは、撮像部４３Ｈで得られた撮像画像データに所定の画像処理を施すと共に、画像処理後の撮像画像データを例えばＪＰＥＧ（Joint Photographic Experts Group）形式などの所定の静止画形式やＡＶＣＨＤ（Advanced Video Codec High Definition）形式等の所定の動画形式でエンコードして画像データファイル（圧縮画像データ）を生成する。
この場合の機器側マイコン４２は、画像処理部４３Ｉで得られた圧縮画像データを入力し、データ通信端子Ｔｔｋを介して出力する処理を実行する。
また、この場合の機器側マイコン４２は、画像処理部４３Ｉに対し各種画像処理についてのパラメータを指示したり、撮像部４３Ｈに対し焦点距離や絞りなどを調整させるための制御等も実行する。
【００６３】
図６は、照明システム５を構成する情報処理装置５０の内部構成の説明図である。
情報処理装置５０は、例えばスマートフォンやタブレット端末、ＰＣ（パーソナルコンピュータ）等の各種コンピュータ装置で実現できる。
【００６４】
図６において、情報処理装置５０のＣＰＵ５１は、ＲＯＭ５２に記憶されているプログラム、又は記憶部５８からＲＡＭ５３にロードされたプログラムに従って各種の処理を実行する。ＲＡＭ５３には、ＣＰＵ５１が各種の処理を実行する上において必要なデータなども適宜記憶される。
ＣＰＵ５１、ＲＯＭ５２、及びＲＡＭ５３は、バス５４を介して相互に接続されている。このバス５４にはまた、入出力インタフェース５５も接続されている。
【００６５】
入出力インタフェース５５には、タッチパネル５６Ａや各種入力デバイスを有する入力部５６と、ＬＣＤ（Liquid Crystal Display）や有機ＥＬ（Electroluminescence）パネルなどよりなる表示部５７Ａやスピーカなどよりなる音響出力部５７Ｂを有する出力部５７と、ハードディスクやＳＳＤ（Solid State Drive）などより構成される記憶部５８と、ＷｉＦｉ通信部５９と、無線通信部６０とが接続されている。
ＷｉＦｉ通信部５９は、ＩＥＥＥ８０２．１１規格に従った無線データ通信を行う。
ＷｉＦｉ通信部５９は、外部の無線ＬＡＮ（Local Area Network）ルータとの間で接続を確立することで、インターネットに接続可能とされる。また、ＷｉＦｉ通信部５９は、同じＷｉＦｉ規格による無線データ通信を行う照明装置２’のＷｉＦｉ通信部２７との間で通信を行うことができる。
無線通信部６０は、ＷｉＦｉ以外の無線通信規格に従った無線データ通信を行うもので、本例ではブルートゥース（Bluetooth：登録商標）規格による無線データ通信を行う。従って、照明装置２’が有する無線通信部２８との間で通信を行うことができる。
【００６６】
ここで、上記のように第２の実施の形態の照明システム５では、照明装置２’と電子機器４との間、及び照明装置２’と情報処理装置５０との間で通信を行うことが可能とされている。このようなシステム構成とした上で、第２の実施の形態では、情報処理装置５０と照明装置２’に装着された電子機器４とを連動させた動作を実現する。
具体的に、音響再生装置としての電子機器４が装着された場合に対応しては、情報処理装置５０で再生指示された音響コンテンツを電子機器４によって再生・出力（放音）させる。また、プロジェクタ装置としての電子機器４が装着された場合に対応しては、情報処理装置５０で再生指示された画像コンテンツを電子機器４によって再生・出力（表示）させる。さらに、カメラ装置としての電子機器４が装着された場合に対応しては、電子機器４により撮像された画像コンテンツを情報処理装置５０に再生・出力（表示）させる。
【００６７】
このとき、音響再生装置やプロジェクタ装置としての電子機器４が用いられる場合に対応して再生されるコンテンツデータは、情報処理装置５０における記憶部５８に記憶される。図中ではこれをコンテンツデータ５８Ａと表している。
【００６８】
また、記憶部５８には、上記のような電子機器４と情報処理装置５０とを連動させた動作を実現するにあたってのユーザインタフェースとして機能するアプリ（アプリケーションプログラム）５８Ｂも記憶される。使用者は、このアプリ５８Ｂを起動させることにより表示部５８Ｂ上に表れる画像とタッチパネル５６Ａなどの入力デバイスとで実現されるＧＵＩ（Graphical User Interface）を利用して、上記のようなコンテンツの再生・出力動作に係る各種の操作入力を行うことが可能とされる。
このアプリ５８Ｂは、例えばインターネット上の所定のサーバ装置からダウンロードされるなどして、記憶部５８に記憶される。
本例の場合、アプリ５８Ｂとしては電子機器４の種類ごとに用意される。すなわち、音響再生装置としての電子機器４に対応する音響再生装置用アプリ、プロジェクタ装置としての電子機器４に対応するプロジェクタ装置用アプリ、及びカメラ装置としての電子機器４に対応するカメラ装置用アプリの３種である。アプリ５８Ｂは、これら３種のアプリを包括的に表している。
【００６９】
［2-2．第２の実施の形態の制御手法］
図７〜図１０を参照して、第２の実施の形態の制御手法について説明する。
図７のフローチャートは、照明装置２’との間で無線データ通信の接続を確立するために情報処理装置５０（ＣＰＵ５１）において実行される処理を示している。
ここでは、先ずＷｉＦｉによる通信接続確立のための処理を説明する。
ＣＰＵ５１は、先ずステップＳ３０１で、接続可能機器の探索のための処理を行う。すなわち、ＷｉＦｉ通信部５９によって通信可能な機器を探索させる。
次いで、ステップＳ３０１による探索結果に基づき、ステップＳ３０２で照明装置２’が検出されたか否かを判別する。照明装置２’のＷｉＦｉ通信部２７には所定のＳＳＩＤ（Service Set ID）が設定されており、ステップＳ３０２では当該ＳＳＩＤが検出されたか否かを判別することで照明装置２’が検出されたか否かを判別する。
【００７０】
上記所定のＳＳＩＤが検出されず、照明装置２’が検出されなかったとの否定結果が得られた場合は処理を終了する。
【００７１】
一方、上記所定のＳＳＩＤが検出され、照明装置２’が検出されたとの肯定結果が得られた場合は、ステップＳ３０３に進んで過去未接続か否か、すなわち過去に照明装置２’との間でＷｉＦｉ接続を確立した履歴があるか否かを判別する。
過去未接続であるとの肯定結果が得られた場合は、ステップＳ３０４に進んで初回接続処理を実行する。具体的には、表示部５７Ａ上に所定の入力画面を表示させる等の処理を実行して、使用者に上記検出されたＳＳＩＤに対応するセキュリティキー（暗号化キー）を入力させると共に、入力されたセキュリティキーをＷｉＦｉ通信部５９によって照明装置２’側に送信させる。入力されたセキュリティキーが正しければ、照明装置２’側とのＷｉＦｉ接続が確立する。これに応じて処理を終了する。なお、入力されたセキュリティキーが正しくなかった場合は接続が確立されないため、再度セキュリティキーを入力させる等の所定の処理を実行する。
【００７２】
また、ステップＳ３０３で過去未接続ではないとの否定結果が得られた場合は、ステップＳ３０５に進んで接続処理を実行する。すなわち、過去未接続でなければ過去に照明装置２’に対応する正しいセキュリティキーが入力されているため、当該セキュリティキーをＷｉＦｉ通信部５９によって照明装置２’に送信させて接続を確立する。接続が確立されたら処理を終了する。
【００７３】
なお、無線通信部２８、６０によるブルートゥース接続については、ＳＳＩＤが例えば機器の型番情報などとされ、セキュリティキーが例えば４桁の数字などのパスワード情報となる点を除き、上記により説明したＷｉＦｉ接続の確立の場合とほぼ同様の手順で接続確立（ペアリング）が行われる。
【００７４】
図７で説明した接続確立のための処理は、使用者により入力部５６を介して指示が為されたことに応じて実行する。或いは、数分おきなどの所定の周期で実行することもできる。
【００７５】
図８〜図１０のフローチャートは、電子機器４として音響再生装置、プロジェクタ装置、カメラ装置が使用される場合に対応して情報処理装置５０、照明装置２’、電子機器４で実行される処理をそれぞれ示している。
これら図８〜図１０において、「照明装置」として示す処理は照明装置２’の照明側マイコン２４がＲＯＭに格納されたプログラムに基づき実行する。また、「情報処理装置」と示す処理は、ＣＰＵ５１がアプリ５８Ｂとしてのプログラムに基づき実行する。また、「電子機器」と示す処理は、図８の場合は音響再生装置としての電子機器４が備える機器側マイコン４２が、図９の場合はプロジェクタ装置としての電子機器４が備える機器側マイコン４２が、図１０の場合はカメラ装置としての電子機器４が備える機器側マイコン４２がそれぞれＲＯＭに格納されたプログラムに基づき実行する。
【００７６】
なお、図８〜図１０に示す処理が開始される時点では、既に対応する種類の電子機器４が照明装置２’に装着済みとされ、且つ照明装置２’と情報処理装置５０との間の無線通信接続（ＷｉＦｉ、ブルートゥースの双方）が確立された状態にあるとする。
また、図８に示す処理が開始されるにあたっては、既に情報処理装置５０において音響再生装置用アプリを起動された状態にあるとする。同様に、図９、図１０に示す処理が開始されるにあたっては、それぞれプロジェクタ装置用アプリ、カメラ装置用アプリを起動された状態にあるとする。
【００７７】
先ず、図８において、情報処理装置５０のＣＰＵ５１は、ステップＳ４０１で照明装置２’に対する通知処理を実行する。このステップＳ４０１の通知処理としては、音響再生装置用アプリが起動されたことを照明側マイコン２４に通知する。また、これと共に、照明側マイコン２４に対し、ＷｉＦｉ接続の解除を指示する。
【００７８】
照明装置２’では、ステップＳ４０１で為された指示に応じ、ステップＳ５０１でＷｉＦｉ接続を解除するための処理を実行する。すなわち、ＷｉＦｉ通信部２７に情報処理装置５０との間で確立されていた接続を解除させる指示を行う。
これにより、情報処理装置５０との間の無線通信の手段が、ＷｉＦｉ以外の無線通信手段（本例ではブルートゥース）に限られる。換言すれば、情報処理装置５０は、前述した無線ＬＡＮルータを介したインターネットへのアクセスが可能な状態とされる。これは、音響コンテンツの再生時にネットサーフィン（ＷＥＢページの閲覧）を行うといった使用法を想定したものである。
【００７９】
情報処理装置５０では、ステップＳ４０１の通知処理を実行すると、ステップＳ４０２でコンテンツの再生指示が為されるまで待機する。すなわち、記憶部５８にコンテンツデータ５８Ａとして記憶されたオーディオデータについて再生指示が為されるまで待機する。
そして、オーディオデータの再生指示があった場合は、ステップＳ４０３で指示されたコンテンツを無線通信部６０経由で照明装置２’に送信させる処理を実行する。すなわち、再生指示されたオーディオデータを記憶部５８から読み出すと共に、読み出したオーディオデータを無線通信部６０によって照明装置２’側に送信させる。このステップＳ４０３の送信処理を実行したことに応じて、ＣＰＵ５１は処理を終了する。
【００８０】
照明装置２’では、情報処理装置５０側から送信されたオーディオデータが受信されたことに応じ、ステップＳ５０２で電子機器４側への転送処理を実行し、処理を終了する。この転送処理は、無線通信部２８で受信されたオーディオデータをデータ通信端子Ｔｔｓ経由で機器側マイコン４２に送信する処理となる。
【００８１】
電子機器４では、照明装置２’側から転送されたオーディオデータが受信されたことに応じ、ステップＳ６０１で再生処理を実行し、処理を終了する。この再生処理は、受信されたオーディオデータをデコードしてＡ／Ｄコンバータ４３Ａに出力する処理となる。
【００８２】
上記のような処理により、情報処理装置５０で再生指示された音響コンテンツが、照明装置２’に装着された音響再生装置としての電子機器４によって再生・出力される。
また、音響コンテンツが再生される場合に対応して、情報処理装置５０から照明装置２’へのコンテンツデータの送信がＷｉＦｉ以外の無線通信規格による通信で行われる。
【００８３】
続いて、プロジェクタ装置の場合を説明する。
図９において、ＣＰＵ５１は、ステップＳ７０１で通知処理を実行する。このステップＳ７０１の通知処理は、プロジェクタ装置用アプリが起動されたことを照明側マイコン２４及び機器側マイコン４２に通知するための処理となる。具体的に、ＣＰＵ５１は、照明側マイコン２４に対してアプリが起動されたことを表す起動通知を行うと共に、当該起動通知を機器側マイコン４２に転送する指示を行う。
【００８４】
照明装置２’では、ステップＳ７０１で為された上記指示に応じ、ステップＳ８０１で上記起動通知を機器側マイコン４２に転送する（図中「通知処理」）。
【００８５】
電子機器４では、ステップＳ８０１で照明装置２’側から転送された通知に応じて、ステップＳ９０１でスタンバイ処理を実行する。このスタンバイ処理は、機器機能部４３を画像表示可能な状態に起動させるための処理であり、具体的には、機器機能部４３内の光源部４３Ｆを点灯させるなどの所定の処理を実行する。
これにより、プロジェクタ装置用アプリの起動に応じて、プロジェクタ装置としての電子機器４が備える機器機能部４３がスタンバイ状態に移行する。
【００８６】
情報処理装置５０では、ステップＳ７０１の通知処理を実行すると、ステップＳ７０２でコンテンツの再生指示が為されるまで待機する。すなわち、記憶部５８にコンテンツデータ５８Ａとして記憶された画像データについて再生指示が為されるまで待機する。なお、ここでは画像データは動画像データであるとする。
画像データの再生指示があった場合は、ステップＳ７０３で指示されたコンテンツをＷｉＦｉ通信部５９経由で照明装置２’側に送信させる処理を実行する。すなわち、再生指示された画像データを記憶部５８から読み出すと共に、読み出した画像データをＷｉＦｉ通信部５９によって照明装置２’側に送信させる。このステップＳ７０３の送信処理を実行したことに応じ、ＣＰＵ５１は処理を終了する。
【００８７】
なお、画像データ（動画像データ）の送信をＷｉＦｉ経由で行うのは、ブルートゥース経由とする場合よりも転送レート的に有利なためである。但し、無線通信部６０の通信規格がＷｉＦｉと同等以上の転送レートを有するものであれば、画像データの送信は無線通信部６０経由で行うこともできる。
【００８８】
照明装置２’では、情報処理装置５０側から送信された画像データが受信されたことに応じ、ステップＳ８０３で電子機器４側への転送処理を実行し、処理を終了する。この転送処理は、ＷｉＦｉ通信部２７で受信された画像データをデータ通信端子Ｔｔｓ経由で機器側マイコン４２に送信する処理となる。
【００８９】
電子機器４では、照明装置２’側から転送された画像データが受信されたことに応じ、ステップＳ９０２で照明装置２’側に対する連動指示を行う。
この連動指示は、発光部２２の発光動作を電子機器４の動作状態に応じて制御させるための指示である。この場合の連動指示としては、発光部２２を減光（或いは消灯）させる旨の指示を行う。
【００９０】
照明装置２’では、電子機器４側からの上記連動指示に応じて、ステップＳ８０３で連動処理を実行する。具体的には、上記連動指示に応じて、発光部２２を減光（或いは消灯）させるように発光駆動部２１に指示を行う。
このように発光部２２を減光させる連動処理が実行されることで、プロジェクタ装置を用いた画像コンテンツの視聴に適した室内環境を使用者に提供できる。
【００９１】
電子機器４では、ステップＳ８０２で照明装置２’側に対して連動指示を行った後、ステップＳ９０３で再生処理を実行し、処理を終了する。この場合の再生処理は、受信された画像データをデコードし表示制御部４３Ｄに出力して、当該画像データに基づく画像を表示パネル４３Ｇ上を表示させる処理となる。
【００９２】
上記のような処理により、情報処理装置５０で再生指示された画像コンテンツが、照明装置２’に装着されたプロジェクタ装置としての電子機器４によって再生・出力される。
【００９３】
続いて、カメラ装置の場合を説明する。
図１０において、ＣＰＵ５１は、ステップＳ１００１で撮像開始指示が為されるまで待機する。すなわち、入力部５６を介した使用者からの撮像開始指示が行われるまで待機する。
撮像開始指示が為された場合は、ステップＳ１００２で通知処理を行う。このステップＳ１００２の通知処理は、撮像開始指示が為されたことを照明側マイコン２４及び機器側マイコン４２に通知するための処理となる。具体的に、ＣＰＵ５１は、照明側マイコン２４に対して撮像開始指示が為されたことを表す撮像開始通知を行うと共に、当該撮像開始通知を機器側マイコン４２に転送する指示を行う。
【００９４】
照明装置２’では、ステップＳ１００２で為された上記指示に応じ、ステップＳ１１０１で上記撮像開始通知を機器側マイコン４２に転送する（図中「通知処理」）。
【００９５】
電子機器４では、ステップＳ１１０１で照明装置２’側から転送された通知に応じて、ステップＳ１２０１で撮像画像送信処理を実行する。すなわち、撮像部４３Ｈによる撮像画像データの生成と画像処理部４３Ｉによる撮像画像データに基づく画像データ（圧縮画像データ）の生成とを実行させると共に、生成された画像データをデータ通信端子Ｔｔｋ経由で照明側マイコン２４に送信する処理を実行する。
【００９６】
照明装置２’では、電子機器４側から画像データが受信されたことに応じ、ステップＳ１１０２で転送処理を行い、処理を終了する。この転送処理は、受信された画像データを情報処理装置５０側に転送する処理である。当該転送処理では、画像データをＷｉＦｉ通信部２７経由で情報処理装置５０側に転送する。
【００９７】
情報処理装置５０では、照明装置２’側から画像データが受信されたことに応じ、ステップＳ１００３で画像表示処理を実行して処理を終了する。この画像表示処理は、ＷｉＦｉ通信部５９で受信された画像データをデコードして表示部５７Ａに表示させる処理となる。
【００９８】
上記のような処理により、照明装置２’に装着されたカメラ装置としての電子機器４によって取得された画像コンテンツが、情報処理装置５０で再生・出力される。
【００９９】
なお、上記では、連動処理がプロジェクタ装置としての電子機器４が装着された場合に対応してのみ実行されるものとしたが、連動処理は、他の種類の電子機器４が装着された場合にも実行可能なものである。例えば、音響再生装置の場合であれば、再生される音響コンテンツの曲調等に応じて発光部２２の調光制御を行ったり、またカメラ装置の場合であれば、撮像に十分な明るさを確保するために、撮像開始に応じて発光部２２の発光量を増大させる等の制御を行うこともできる。
【０１００】
［2-3．第２の実施の形態のまとめ］
上記のように第２の実施の形態では、照明装置２’が、情報処理装置５０との間でデータ通信を行うための通信部を備える。
これにより、情報処理装置５０と連動した動作を実行する照明システムを実現できる。
【０１０１】
また、第２の実施の形態では、機器機能部４３がコンテンツデータの再生・出力機能、又はコンテンツデータの取得機能を有しており、照明側マイコン２４が、前記通信部が情報処理装置５０から受信したコンテンツデータを電子機器４に転送する処理、又は電子機器４から受信したコンテンツデータを前記通信部を介して情報処理装置５０に転送する処理の何れかを実行するようにしている。
これにより、情報処理装置５０に保持されたコンテンツデータを電子機器４により再生・出力させたり、電子機器４が取得したコンテンツデータを情報処理装置５０により再生・出力させるといったことが可能となり、照明システムについて画期的且つ斬新な使用法を提供できる。
【０１０２】
さらに、第２の実施の形態では、前記通信部が、ＷｉＦｉによる通信とＷｉＦｉ以外の無線通信規格による通信とが可能に構成されており、照明側マイコン２４が、コンテンツデータが音響データである場合には前記通信部にＷｉＦｉ以外の無線通信規格による通信を実行させるようにしている。
これにより、音響コンテンツが再生・出力される場合には、情報処理装置５０がＷｉＦｉ経由でインターネットに接続可能となり、音響コンテンツを聴取しながらＷＥＢページの閲覧を行うという使用法を実現できる。
【０１０３】
さらにまた、第２の実施の形態では、照明側マイコン２４が、装着された電子機器４の動作状態に応じて発光部２２による発光動作を制御するようにしている。
このように発光部２２の発光動作が電子機器４の動作状態に連動して制御されることで、電子機器４の機能を十分に発揮させたり、また娯楽性を増すなどといった効果を得ることができる。
【０１０４】
なお、本例において、照明側マイコン２４が実行するプログラムは、装着される電子機器４の種類ごとに用意されているものではなく、全種類の電子機器４に対応する１つのプログラムのみが格納されている。これは、換言すれば、アプリ５８Ｂや電子機器４側のプログラムの設計が、照明装置２’側のプログラムを基準に設計されていることを意味する。
これによれば、新たな種類の電子器機が照明システムの対応器機として追加されたり、或いは同種類の電子器機であっても性能が向上されるなどして新たな機能が追加された機器が対応器機として追加された場合にも、照明装置２’側のプログラムの書き換えを行わずに済むようにできる。
【０１０５】
＜３．変形例＞
なお、本技術は上記により説明した具体例に限定されるべきものではなく、多様な変形例が考えられるものである。
以下、各変形例について説明する。
【０１０６】
［3-1．変形例１］
変形例１は、機器機能部４３の要求電圧レベルに係る変形例である。
これまでの説明では、電子機器４が変圧回路４１を備えることで、機器機能部４３に適正なレベルの直流電圧が供給されるようにしたが、変形例１は、装着された電子機器４に応じた適正なレベルによる直流電圧を照明装置側で生成することで、電子機器４側の変圧回路４１を省略可能とするものである。
【０１０７】
図１１は、変形例１としての照明システム６の構成についての説明図である。
この照明システム６では、照明装置２に代えて照明装置２−１が、電子機器４に代えて電子機器４−１がそれぞれ設けられる。照明装置２と照明装置２−１との違いは、電源回路２０で生成された直流電圧が電圧レベル調整部２９を介してスイッチＳＷ２に供給される点である。また、電子機器４と電子機器４−１との違いは、変圧回路４１が省略され、電力入力端子Ｔｓ-inからの入力電圧が機器機能部４３に供給される点である。
照明装置２−１が備える電圧レベル調整部２９は、電源回路２０から供給された直流電圧のレベルを照明側マイコン２４からの指示に応じたレベルに変圧して出力する。
【０１０８】
図１２は、変形例１としての照明システム６において実行される処理を説明するためのフローチャートである。「照明装置」と表す処理は照明装置２−１の照明側マイコン２４が、「電子機器」と示す処理は電子機器４−１の機器側マイコン４２がそれぞれＲＯＭに格納されたプログラムに基づき実行するものである。
なお、以下では、既に説明済みとなった処理と同様の処理については同一のステップ番号を付して説明を省略し、主に第１の実施の形態の場合と異なる部分のみを説明する。
【０１０９】
図のように照明装置２−１側では、先の図３で示したステップＳ１０１〜Ｓ１０７と同様の処理が行われる。また、電子機器４−１側においても、図３で示したステップＳ２０１〜Ｓ２０４と同様の処理が実行される。
但し、この場合の電子機器４−１で実行されるステップＳ２０４の処理において、機器側マイコン４２は、認証情報として認証キーの情報と共に機器機能部４３の要求電圧レベル情報を送信する。この要求電圧レベル情報は、例えば機器側マイコン４２のＲＯＭに格納されており、機器側マイコン４２は該ＲＯＭから要求電圧レベル情報を読み出して上記認証情報として照明装置２−１側に送信する。
【０１１０】
この場合における照明側マイコン２４は、ステップＳ１０７で認証が成功したとの肯定結果が得られた場合は、ステップＳ１３０１で要求レベルによる電圧生成を電圧レベル調整部２９に指示する。
これにより、認証が成功した場合には、次のステップＳ１０９でスイッチＳＷ２がＯＮとされることで、機器機能部４３に対して要求電圧レベルによる直流電圧が供給される。
【０１１１】
この変形例１のように、照明装置側で機器機能部が要求するレベルの電圧生成を行うことによっても、電子機器の種類によって機器機能部の要求電圧レベルが異なる場合に対応可能となる。
変形例１によれば、変圧回路４１が不要となることで、電子機器４−１の部品点数の削減が図られ、従って装置の小型化やコスト削減が図られる。
【０１１２】
［3-2．変形例２］
変形例２は、認証処理時の電源供給に係る変形例である。
図１３は、変形例２としての照明システム７の構成についての説明図である。
この照明システム７では、照明装置２に代えて照明装置２−２が、電子機器４に代えて電子機器４−２がそれぞれ設けられる。照明装置２’は、照明装置２との比較で、電源回路２０で生成された直流電圧が電圧レベル調整部２９を介してスイッチＳＷ２に供給される点と、スイッチＳＷ１及び電力出力端子Ｔｓ-outが省略された点が異なる。また、電子機器４−２は、電子機器４との比較で、変圧回路４１に代えて出力切換部４６が設けられる点と、電力入力端子Ｔｓ-inが省略された点が異なる。
電子機器４−２が備える出力切換部４６は、電力入力端子Ｔｍ-inからの入力電圧のレベルに応じて上記入力電圧の出力先を切り換える。具体的に、入力電圧が第１レベルであるときは入力電圧を機器側マイコン４２に出力し、入力電圧が第２レベルであるときは入力電圧に基づき生成した上記第１レベルによる直流電圧を機器側マイコン４２に出力すると共に、上記第２レベルによる直流電圧を機器機能部４３に出力する。
ここで、上記第１レベルとは、機器側マイコン４２の要求電圧レベルであり、上記第２レベルとは、機器機能部４３の要求電圧レベルである。
【０１１３】
図１４は、変形例２としての照明システム７において実行される処理を説明するためのフローチャートである。
この場合の照明側マイコン２４は、ステップＳ１０１で電子機器４−２が装着されたことに応じて、ステップＳ１４０１で電圧レベル調整部２９に第１レベルによる電圧生成を指示する。
そして、続くステップＳ１４０２で、スイッチＳＷ２をＯＮとする。これにより、電子機器４−２の出力切換部４６には機器側マイコン４２の要求電圧レベルとしての第１レベルによる直流電圧が入力され、これに応じて出力切換部４６から機器側マイコン４２に対して第１レベルによる直流電圧が供給される。すなわち、機器側マイコン４２が起動する。
【０１１４】
電子機器４−２側では、ステップＳ２０１〜Ｓ２０４の処理が実行されるが、この場合もステップＳ２０４の送信処理では、変形例１の場合と同様に認証情報として要求電圧レベル情報も送信する。
【０１１５】
照明装置２−２側では、ステップＳ１４０２の処理を実行したことに応じてステップＳ１０３〜Ｓ１０７の処理が実行される。この場合、ステップＳ１０７で認証が成功しなかったとの否定結果が得られた場合は、ステップＳ１４０３でスイッチＳＷ２をＯＦＦとする。これにより、認証が失敗した場合には電子機器４−２への電力供給が完全にＯＦＦとされる。
一方、認証が成功したとの肯定結果が得られたことに応じては、ステップＳ１４０４で第２レベルによる電圧生成を電圧レベル調整部２９に指示する。これにより、電子機器４−２の出力切換部４６には機器機能部４３の要求電圧レベルとしての第２レベルによる直流電圧が入力され、これに応じて出力切換部４６から機器機能部４３に対して第２レベルによる直流電圧が供給される。すなわち、機器機能部４３が動作可能な状態となる。
【０１１６】
この変形例２によっても、機器機能部４３への動作電圧の供給が、認証処理の結果に基づき行われるようにできる。
なお、この点からも理解されるように、照明装置から電子機器の機器機能部への動作電圧の供給が認証処理の結果に基づき行われるようにするための手法は、先の第１の実施の形態で説明したものに限定されず、多様な手法が考えられるものである。
【０１１７】
なお、この変形例２や、先に説明した変形例１は、第２の実施の形態にも適用可能なものである。
【０１１８】
［3-3．変形例３］
変形例３は、第２の実施の形態に係る変形例である。
図１５は、変形例３としての照明システム８の構成についての説明図である。
第２の実施の形態の照明システム５との違いは、照明装置２’と電子機器４のそれぞれに代えて、照明装置２’からＷｉＦｉ通信部２７と無線通信部２８とを省略した照明装置２と、電子機器４にＷｉＦｉ通信部４４と無線通信部４５とを追加した電子機器４’が設けられた点である。すなわち、情報処理装置５０との間の無線データ通信を、照明装置側ではなく電子機器側が行うものである。
【０１１９】
図１６〜図１８のフローチャートは、電子機器４’として音響再生装置、プロジェクタ装置、カメラ装置が使用される場合に対応して照明システム８において実行される処理をそれぞれ示している。
なお、これら図１６〜図１８においても、先の図８〜図１０と同様に、既に照明装置２に電子機器４’が装着済みとされ、且つ電子機器４’と情報処理装置５０との間の無線通信接続（ＷｉＦｉ、ブルートゥースの双方）が確立されていると共に、情報処理装置５０において電子機器４’の種類に対応したアプリが起動された状態にあるとする。
【０１２０】
これら図１６〜図１８に示すように、音響再生装置、プロジェクタ装置、カメラ装置の何れの場合も、情報処理装置５０による処理は図８〜図１０に示したものと同様となる。但しこの場合、通知や指示及びデータの送信先が電子機器４’（ＷｉＦｉ通信部４４、無線通信部４５）となる。
【０１２１】
図１６に示す音響再生装置の場合、電子機器４’では、情報処理装置５０側からの通知（Ｓ４０１：アプリ起動通知）に応じて、ステップＳ１５０１でＷｉＦｉ接続を解除するための処理を実行する。すなわち、ＷｉＦｉ通信部４４に情報処理装置５０との間で確立されていた接続を解除させる指示を行う。
【０１２２】
また、電子機器４’では、情報処理装置５０側から無線通信部６０経由で送信されたオーディオデータが無線通信部４５で受信されたことに応じ、ステップＳ６０１で該受信されたコンテンツについての再生処理を実行する。
【０１２３】
また、図１７に示すプロジェクタ装置の場合、電子機器４’では、情報処理装置５０側からの通知（Ｓ７０１：アプリ起動通知）に応じて、ステップＳ９０１でスタンバイ処理を実行する。
また、この場合の電子機器４’では、情報処理装置５０側からＷｉＦｉ通信部５９経由で送信された画像データがＷｉＦｉ通信部４４で受信されたことに応じ、ステップＳ９０２で照明装置２に対して連動指示を行い、続くステップＳ９０３で受信したコンテンツについての再生処理を実行する。
照明装置２では、上記連動指示に応じて、ステップＳ８０３で連動処理を実行する。
【０１２４】
また、図１８に示すカメラ装置の場合、電子機器４’では、情報処理装置５０側からの通知（Ｓ１００１：撮像開始通知）に応じて、ステップＳ１２０１で撮像画像送信処理を実行する。但し、この場合の撮像画像送信処理は、画像処理部４３Ｉで得られた圧縮画像データをＷｉＦｉ通信部４４経由で情報処理装置５０側に送信する処理となる。
【０１２５】
上記のような変形例３によっても、第２の実施の形態の場合と同様の効果が得られる。
【０１２６】
［3-4．その他の変形例］
これまでの説明では、電子機器の例として音響再生装置やプロジェクタ装置、カメラ装置等を挙げたが、これらはあくまで一例を示したに過ぎず、本技術における電子機器としてはこれらに限定されるべきものではない。
本技術における電子機器としては、天井付近に取り付けられることでより機能を発揮できるものが好適である。
【０１２７】
また、照明側マイコン２４と機器側マイコン４２との間のデータ通信が有線により行われる場合を例示したが、無線により行うこともできる。
このとき、照明側マイコン２４と機器側マイコン４２との間の無線データ通信は、ＮＦＣ（Near Field Communication）により行うことができる。
また、照明装置２側から機器側マイコン４２への認証のための電力供給についても、有線ではなく無線で行うことができる。例えば、上記のＮＦＣの技術を用いることで、認証処理に係る電力供給とデータ通信とを非接触で行うことができる。
【０１２８】
また、図１や図４、及び図１１の例では、照明側マイコン２４と機器側マイコン４２とに同レベルの動作電圧が供給されるものとしたが、これらは異なる場合も考えられる。そこで、スイッチＳＷ１と電力出力端子Ｔｓ-outとの間、又は機器側マイコン４２と電力入力端子Ｔｓ-inとの間に変圧回路を設けることもできる。
【０１２９】
また、連動処理についても、先に例示したものに限定されない。例えばイオン発生器や火災報知器などの場合、その動作開始／停止に応じて発光部２２を所定の点滅パターンで発光させるなどの制御を行うことが考えられる。
【０１３０】
また、第２の実施の形態では、電子機器で再生・出力されるコンテンツが、情報処理装置５０に予め記憶されたコンテンツとされる場合を例示したが、いわゆるストリーミング再生のようにインターネット上の所定のサーバ装置からデータを読み出しつつそれを電子機器側に転送するようにしてもよい。
【０１３１】
＜４．本技術＞
なお、本技術は以下のような構成を採ることもできる。
（１）
電源回路と、
前記電源回路により生成された電源電圧に基づき発光駆動される発光部と、
機器側制御部と前記機器側制御部により制御される機器機能部とを備えた電子機器を着脱自在に装着する装着部と、
前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する照明側制御部とを備える
照明装置。
（２）
前記装着部は、
前記機器機能部による機能がそれぞれ異なる複数種の前記電子機器に共通構造により設けられた被装着部を装着可能に構成されている
前記（１）に記載の照明装置。
（３）
前記照明側制御部は、
前記認証処理が失敗した場合は、前記機器側制御部への電力供給が停止されるように制御を行う
前記（１）又は（２）に記載の照明装置。
（４）
前記電源回路によって生成された電源電圧を指示された電圧レベルに変圧して出力する電圧レベル調整部を備え、
前記照明側制御部は、
前記電圧レベル調整部により、前記装着部に装着された前記電子機器に応じたレベルの電圧を生成させる
前記（１）乃至（３）の何れかに記載の照明装置。
（５）
前記照明側制御部は、
装着された前記電子機器の動作状態に応じて前記発光部による発光動作を制御する
前記（１）乃至（４）の何れかに記載の照明装置。
（６）
情報処理装置との間でデータ通信を行うための通信部を備える
前記（１）乃至（５）の何れかに記載の照明装置。
（７）
前記電子機器が備える前記機器機能部は、
コンテンツデータの再生・出力機能、又はコンテンツデータの取得機能を有しており、
前記照明側制御部は、
前記通信部が前記情報処理装置から受信したコンテンツデータを前記電子機器に転送する処理、又は前記電子機器から受信したコンテンツデータを前記通信部を介して前記情報処理装置に転送する処理の何れかを実行する
前記（６）に記載の照明装置。
（８）
前記通信部は、
ＷｉＦｉによる通信とＷｉＦｉ以外の無線通信規格による通信とが可能に構成され、
前記照明側制御部は、
前記コンテンツデータが音響データである場合には前記通信部に前記ＷｉＦｉ以外の無線通信規格による通信を実行させる
前記（７）に記載の照明装置。
（９）
電子機器と照明装置とを備えて構成された照明システムであって、
前記電子機器は、
機器側制御部と、
前記機器側制御部により制御される機器機能部とを備え、
前記照明装置は、
電源回路と、
前記電源回路により生成された電源電圧に基づき発光駆動される発光部と、
前記電子機器を着脱自在に装着する装着部と、
前記装着部に装着された前記電子機器の前記機器側制御部に対して前記電源電圧に基づく動作電圧が供給されるように制御して前記機器側制御部との間で認証処理を行った結果に基づき、前記機器機能部に対して前記電源電圧に基づく動作電圧の供給が行われるように制御する照明側制御部とを備える
照明システム。
（１０）
前記装着部は、
前記機器機能部による機能がそれぞれ異なる複数種の前記電子機器のそれぞれに共通構造により設けられた被装着部を装着可能に構成されている
前記（９）に記載の照明システム。
（１１）
前記照明側制御部は、
前記認証処理が失敗した場合は、前記機器側制御部への電力供給が停止されるように制御を行う
前記（９）又は（１０）に記載の照明システム。
（１２）
前記電子機器は、
前記照明装置側から前記認証処理の結果に基づき供給された前記動作電圧を所定の電圧レベルに変圧して前記機器機能部に出力する変圧回路を備える
前記（９）乃至（１１）の何れかに記載の照明システム。
（１３）
前記照明側制御部は、
装着された前記電子機器の動作状態に応じて前記発光部による発光動作を制御する
前記（９）乃至（１２）の何れかに記載の照明システム。
（１４）
情報処理装置をさらに備えると共に、
前記情報処理装置と前記照明側制御部との間、又は前記情報処理装置と前記機器側制御部との間でデータ通信を行うための通信部を備える
前記（９）乃至（１３）の何れかに記載の照明システム。
（１５）
前記電子機器が備える前記機器機能部は、
コンテンツデータの再生・出力機能、又はコンテンツデータの取得機能を有しており、  前記通信部は、
前記照明装置に設けられた照明側通信部であり、
前記照明側制御部は、
前記照明側通信部が前記情報処理装置から受信したコンテンツデータを前記電子機器に転送する処理、又は前記電子機器から受信したコンテンツデータを前記照明側通信部を介して前記情報処理装置に転送する処理の何れかを実行する
前記（１４）に記載の照明システム。
（１６）
前記電子機器が備える前記機器機能部は、
コンテンツデータの再生・出力機能、又はコンテンツデータの取得機能を有しており、  前記通信部は、
前記電子機器に設けられた機器側通信部であり、
前記機器側制御部は、
前記機器側通信部が前記情報処理装置から受信したコンテンツデータを前記機器機能部により再生・出力させる処理、又は前記機器機能部により取得させたコンテンツデータを前記機器側通信部によって前記情報処理装置に送信させる処理を実行する
前記（１４）に記載の照明システム。
（１７）
前記通信部は、
ＷｉＦｉによる通信とＷｉＦｉ以外の無線通信規格による通信とが可能に構成され、
前記照明側制御部又は前記機器側制御部は、
前記コンテンツデータが音響データである場合には前記通信部に前記ＷｉＦｉ以外の無線通信規格による通信を実行させる
前記（１５）又は（１６）に記載の照明システム。
【符号の説明】
【０１３２】
１,５,６,７,８…照明システム、２,２−１,２−２,２’…照明装置、２Ｂ…装着部、４,４−１,４−２,４’…電子機器、２０…電源回路、２２…発光部、２４…照明側マイコン、２９…電圧レベル調整部、ＳＷ１,ＳＷ２…スイッチ、４１…変圧回路、４２…機器側マイコン、４３…機器機能部、２７,４４…ＷｉＦｉ通信部、２８,４５…無線通信部、５０…情報処理装置
【図１】
2014209411.tif 000003
【図２】
2014209411.tif 000004
【図３】
2014209411.tif 000005
【図４】
2014209411.tif 000006
【図５】
2014209411.tif 000007
【図６】
2014209411.tif 000008
【図７】
2014209411.tif 000009
【図８】
2014209411.tif 000010
【図９】
2014209411.tif 000011
【図１０】
2014209411.tif 000012
【図１１】
2014209411.tif 000013
【図１２】
2014209411.tif 000014
【図１３】
2014209411.tif 000015
【図１４】
2014209411.tif 000016
【図１５】
2014209411.tif 000017
【図１６】
2014209411.tif 000018
【図１７】
2014209411.tif 000019
【図１８】
2014209411.tif 000020